(57)【要約】【課題】  紙幣を収納するときに紙幣を誤って折り曲げることがないようにする。【解決手段】  収納ケース１０の底板１３と押え板１２との間に円すいコイルばね１４が弾装されている。挟持部材１７Ａ，１７Ｂは積層状態で収納された紙幣６０Ａの幅方向と厚み方向とへ移動する。Ｅ方向へ移動した挟持部材１７Ａ，１７Ｂの挟持部１８Ａ，１８Ｂが紙幣収納ケース１０内に進出するとき、これら挟持部１８Ａ，１８Ｂが紙幣６０Ｂが接触しない状態で対向する。この状態で、挟持部材１７Ａ，１７ＢがＦ方向に移動することにより、挟持部１８Ａ，１８Ｂと押え板１２とで紙幣６０Ａ，６０Ｂを挟持し収納する。【選択図】  図４
2006072822.tif 000002
【特許請求の範囲】
【請求項１】
紙幣が厚み方向に積層される押え板と、この押え板を積層された紙幣側に付勢する付勢手段と、前記押え板に積層された紙幣を前記押え板と共に紙幣の厚み方向に挟持する紙幣挟持手段とを備えた紙幣収納装置において、
紙幣挟持手段は、積層される紙幣の対向する側端縁に係合する少なくとも一対の挟持部と、これら挟持部を積層される紙幣の幅方向に移動させる幅方向移動手段と、前記挟持部を積層される紙幣の厚み方向に移動させる厚み方向移動手段とによって構成されていることを特徴とする紙幣収納装置。
【請求項２】
請求項１記載の紙幣収納装置において、
前記幅方向移動手段は、進退自在なロッドを備えたソレノイドと、このソレノイドによって駆動しロッドの進退方向に移動する駆動部材と、この駆動部材の移動に連動しカム機構を介して駆動板の移動方向と直交する方向に移動することにより前記挟持部を移動させる被駆動部材とによって構成されていることを特徴とする紙幣収納装置。
【請求項３】
請求項１記載の紙幣収納装置において、
前記厚み方向移動手段は、進退自在なロッドを備えたソレノイドと、このソレノイドによって駆動されロッドの進退方向に移動する駆動部材と、この駆動部材の移動に連動しカム機構を介して前記挟持部を積層される紙幣の厚み方向に移動させる移動子とによって構成されていることを特徴とする紙幣収納装置。
【発明の詳細な説明】
【技術分野】
【０００１】
本発明は、自動販売機やパチンコの遊技台用台間機等に設けられる紙幣処理装置に適用される紙幣収納装置に関するものである。
【背景技術】
【０００２】
従来の紙幣収納装置は、紙幣挿入口に連通する紙幣通路と、この紙幣通路に隣接して設けられた紙幣収納部と、この紙幣収納部に収納された紙幣を紙幣通路側に付勢する押え板と、前記紙幣通路上の紙幣を押圧して紙幣収納部へ移動させるガイド板と、このガイド板と同じ方向に移動して紙幣の端部を保持する一時保持部材と、前記紙幣収納部に収納された紙幣を押え板と共に挟持する札受けとを備えている。そして、この札受けは前記ガイド板によって紙幣が紙幣収納部へ移動するときに紙幣収納部から退避し、紙幣の移動が終了すると紙幣収納部へ進出する（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２００１−３５７４３２号公報（段落「００１５」〜「００１７」、図１ないし図７）
【発明の開示】
【発明が解決しようとする課題】
【０００３】
上述した従来の紙幣収納装置においては、回動自在に支持された札受けを紙幣収納部に進出させることにより札受けと押え板とで紙幣を挟持する構造であるため、札受けを回動させ紙幣収納部に進出させるときに札受けが紙幣に接触するので、札受けによって紙幣の端部を折り曲げてしまうおそれがある。また、このように紙幣が折り曲げられると、紙幣収納部に収納する紙幣の枚数が低減するという問題が起きる。
【０００４】
本発明は上記した従来の問題に鑑みなされたものであり、その目的とするところは、紙幣を収納するときに紙幣を誤って折り曲げることがないようにすることにある。
【課題を解決するための手段】
【０００５】
この目的を達成するために、請求項１に係る発明は、紙幣が厚み方向に積層される押え板と、この押え板を積層された紙幣側に付勢する付勢手段と、前記押え板に積層された紙幣を前記押え板と共に紙幣の厚み方向に挟持する紙幣挟持手段とを備えた紙幣収納装置において、紙幣挟持手段を、積層される紙幣の対向する側端縁に係合する少なくとも一対の挟持部と、これら挟持部を積層される紙幣の幅方向に移動させる幅方向移動手段と、前記挟持部を積層される紙幣の厚み方向に移動させる厚み方向移動手段とによって構成したものである。
【０００６】
また、請求項２に係る発明は、請求項１に係る発明において、前記幅方向移動手段を、進退自在なロッドを備えたソレノイドと、このソレノイドによって駆動しロッドの進退方向に移動する駆動部材と、この駆動部材の移動に連動しカム機構を介して駆動板の移動方向と直交する方向に移動することにより前記挟持部を移動させる被駆動部材とによって構成したものである。
【０００７】
また、請求項３に係る発明は、請求項１に係る発明において、前記厚み方向移動手段を、進退自在なロッドを備えたソレノイドと、このソレノイドによって駆動されロッドの進退方向に移動する駆動部材と、この駆動部材の移動に連動しカム機構を介して前記挟持部を積層される紙幣の厚み方向に移動させる移動子とによって構成したものである。
【発明の効果】
【０００８】
本発明によれば、挟持部材を積層される紙幣の厚み方向に移動させ、紙幣と接触しない状態で挟持部材を紙幣の幅方向に移動させることができるから、挟持部材によって紙幣を収納する際にこれから収納する紙幣の端部を誤って折り曲げるようなことがない。
【発明を実施するための最良の形態】
【０００９】
以下、本発明の実施の形態を図に基づいて説明する。図１は本発明に係る紙幣収納装置の側面図、図２（Ａ）は図１におけるII（Ａ）-II（Ａ） 線断面図、図２（Ｂ）は図１におけるII（Ｂ）-II（Ｂ） 線断面図、図３および図４は図１におけるIII-III 線断面図であって、図３（Ａ）はこれから積層される紙幣が紙幣収納部に搬送された状態を示し、同図（Ｂ）は挟持部材が紙幣の幅方向へ移動しこれから収納される紙幣と既に収納されている紙幣とが重ね合わされた状態を示す、同図（Ｃ）は挟持部材を積層された紙幣の厚み方向に移動させた状態を示し、図４（Ａ）は挟持部材を積層された紙幣の幅方向に移動させ収納する紙幣に対向させた状態を示し、同図（Ｂ）は挟持部材を積層された紙幣の厚み方向に移動させ紙幣を押え板側に押圧し押え板と共に挟持した状態を示す。
【００１０】
図１および図２に全体を符号１で示す紙幣収納装置は、側板２とこの側板２を覆う一面が開口した箱状に形成されたカバー３とによって形成された筺体４を備えている。カバー３の側面板５の内側には、三対のリブ６が、図３に示すように矢印Ｃ−Ｄ方向に延在し互いに平行となるように一体に突設されている。また、カバー３の３つの囲い壁のうち矢印Ｃ方向側に設けられた囲い壁７には、スリット状に形成された紙幣導入口７ａが設けられており、この紙幣導入口７ａには、図示を省略した紙幣搬送手段によって紙幣が長辺側から筺体４内に矢印Ａ方向に向かって導入されるように構成されている。また、矢印Ｂ方向側に設けられた囲い壁８には、細長い長方形に形成された紙幣取出口８ａが設けられている。
【００１１】
図３において、１０は箱状に形成された紙幣収納ケースであって、スタッド１１を介して側板２に取り付けられており、矢印Ｂ方向と矢印Ｅ方向が開口している。１２は紙幣収納ケース１０の底板１３と対向するように紙幣収納ケース１０内に収容された押え板であって、底板１３との間に弾装した円すいコイルばね１４によって、リブ６側（矢印Ｅ方向）に付勢されている。この押え板１２は紙幣の外形よりもやや大きく形成されており、図１に示すように、押え板１２の矢印Ｂ方向の端部には半円形の切欠き１２ａが設けられている。
【００１２】
図１において、１７Ａ，１７Ｂは上下一対の挟持部材であって、紙幣収納ケース１０の互いに対向する上面板１５Ａと下面板１５Ｂとのそれぞれの外側において互いに対向するように設けられており、後述する幅方向移動手段２０によって矢印Ｃ−Ｄ方向に移動し、後述する厚み方向移動手段４０によって矢印Ｅ−Ｆ方向に移動する。これら挟持部材１７Ａ，１７Ｂの矢印Ｅ方向の端部には、それぞれ三対の挟持部１８Ａ，１８Ｂが互いに対向するように直角に折り曲げられるように形成されている。これら挟持部１８Ａ，１８Ｂは、紙幣収納ケース１０の上面板１５Ａと下面板１５Ｂとのそれぞれに設けた切欠き１５ａ，１５ａから紙幣収納ケース１０内に進出できるように構成されている。また、これら挟持部１８Ａ，１８Ｂはカバー３のリブ６，６間に位置付けられている。下面板１５Ｂの先端側には、図３に示すように紙幣係止部１５ｂが設けられている。
【００１３】
次に、図１および図２（Ａ）を用いて、幅方向移動手段２０について説明する。幅方向移動手段２０は、図１に示すように、進退自在なロッド２１を備えた第１のソレノイド２２と、この第１のソレノイド２２によって駆動しロッド２１の進退方向に移動する駆動板２３と、この駆動板２３の移動に連動しカム機構２４Ａ，２４Ｂを介して駆動板２３の移動方向と直交する方向に移動することにより挟持部材１５Ａ，１５Ｂを移動させる被駆動板２５Ａ，２５Ｂとによって構成されている。
【００１４】
駆動板２３には矢印Ａ−Ｂ方向に延在する一対の長孔２６，２６が設けられており、紙幣収納ケース１０の底板１３に植設したピン２７，２７にこれら長孔２６，２６が係入されることにより、この駆動板２３は底板１３に矢印Ａ−Ｂ方向に移動自在に支持される。２８は軸２９を介して底板２に揺動自在に支持されたレバーであって、このレバー２８の一端部は第１のソレノイド２２のロッド２１に枢着され、他端部には駆動板２３の一端部が枢着されている。したがって、ロッド２１が前進すると、レバー２８が軸２９を支点として図中時計方向に回動し、駆動板２３が矢印Ｂ方向に移動する。一方、ロッド２１が後退すると、レバー２８が軸２９を支点として図中反時計方向に回動し、駆動板２３が矢印Ａ方向に移動する。
【００１５】
被駆動板２５Ａには、矢印Ｂ方向の端部が矢印Ｃ方向に４５°傾斜した長孔３１，３１が設けられており、これら長孔３１，３１に駆動板２３に植設したピン３２，３２が係入されている。また、被駆動板２５Ａが底板２に植設されたストッパピン３３，３３によって矢印Ａ−Ｂ方向の移動が規制されていることによって、この被駆動板２５Ａは駆動板２３に矢印Ｃ−Ｄ方向に移動自在に支持される。一方、被駆動板２５Ｂには、矢印Ｂ方向の端部が矢印Ｄ方向に４５°傾斜した長孔３４，３４が設けられており、これら長孔３４，３４に駆動板２３に植設したピン３５，３５が係入されている。また、被駆動板２５Ｂが底板２に植設されたストッパピン３６，３６によって矢印Ａ−Ｂ方向の移動が規制されていることによって、この被駆動板２５Ｂは駆動板２３に矢印Ｃ−Ｄ方向に移動自在に支持される。
【００１６】
したがって、駆動板２３が矢印Ａ方向に移動することにより、ピン３２が長孔３１の矢印Ａ方向の端部に位置付けられるため、被駆動板２５Ａは矢印Ｄ方向に移動し、ピン３５が長孔３４の矢印Ａ方向の端部に位置付けられるため、被駆動板２５Ｂは矢印Ｃ方向に移動する。一方、駆動板２３が矢印Ｂ方向に移動することにより、ピン３２が長孔３１の矢印Ｂ方向の端部に位置付けられるため、被駆動板２５Ａは矢印Ｃ方向に移動し、ピン３５が長孔３４の矢印Ｂ方向の端部に位置付けられるため、被駆動板２５Ｂは矢印Ｄ方向に移動する。ピン３２と長孔３１とが駆動板２３の移動方向に対して被駆動板２５Ａの移動方向を変換するカム機構２４Ａを形成し、ピン３４と長孔３５とが駆動板２３の移動方向に対して被駆動板２５Ｂの移動方向を変換するカム機構２４Ｂを形成している。
【００１７】
被駆動板２５Ａの矢印Ｃ方向の端部には直角に折曲形成された折曲部２５ａが設けられている。また、被駆動板２５Ｂの矢印Ｄ方向の端部には直角に折曲形成された折曲部２５ｂが設けられている。上述した挟持部材１７Ａは図示を省略した付勢手段によって被駆動板２５Ａの折曲部２５ａに対接するように矢印Ｄ方向に付勢されており、挟持部材１７Ｂは図示を省略した付勢手段によって被駆動板２５Ｂの折曲部２５ｂに対接するように矢印Ｃ方向に付勢されている。
【００１８】
次に、図１および図２（Ｂ）を用いて、厚み方向移動手段４０について説明する。厚み方向移動手段４０は、進退自在なロッド４１を備えた第２のソレノイド４２と、この第２のソレノイド４２によって駆動されロッド４１の進退方向に移動する駆動部材４３と、この駆動部材４３の移動に連動しカム４４を介して前記挟持部１８Ａ，１８Ｂを紙幣収納ケース１０内に積層される紙幣の厚み方向に移動させる移動子４５Ａ，４５Ｂとによって構成されている。
【００１９】
第２のソレノイド４２は筺体４の底板２に取り付けられており、ロッド４１には駆動部材４３の中央部を折曲形成した連結部４６に連結されている。駆動部材４３は、図２（Ｂ）に示すように、矢印Ａ−Ｂ方向に延在し底板２に植設されたピン４７によって矢印Ａ−Ｂ方向に移動自在に支持されている。カム４４，４４は小軸４８を介して揺動自在に支持されており、それぞれの一端が駆動部材４３の両端に枢着されており、駆動部材４３が矢印Ａ方向に移動することにより、小軸４８を中心に時計方向に回動する。
【００２０】
移動子４５Ａ，４５Ｂは図示を省略したガイド部材によって矢印Ｅ−Ｆ方向に移動自在に支持されており、図示を省略した付勢手段によって矢印Ｆ方向に付勢されている。これら移動子４５Ａ，４５Ｂには、カム４４のカム面４４ａが対接する突子４９が設けられているとともに、上述した挟持部材１７Ａの突起１７ａが係合する係合部５０が設けられている。また、移動子４５Ａと移動子４５Ｂとは、図１に示すように連結部材５１を介して連結されている。したがって、カム４４が時計方向に回動することにより、カム４４のカム面４４ａが突子４９に対接し、突子４９を介して移動子４５Ａが矢印Ｅ方向に移動するので、連結部材５１を介して移動子４５Ｂも矢印Ｅ方向に移動し、挟持部材１７Ａ，１７Ｂが矢印Ｅ方向に移動する。
【００２１】
次に、上記のように構成された紙幣収納装置における紙幣の収納動作を主に図３および図４を用いて説明する。図３（Ａ）に示すように、挟持部材１７Ａの挟持部１８Ａと挟持部材１７Ｂの挟持部１８Ｂが切欠き１５ａ，１５ａから紙幣収納ケース１０内に進出しており、これら挟持部１８Ａ，１８Ｂが押え板１２に積層されている紙幣６０Ａの両側端縁の表面に係合している。したがって、これら挟持部１８Ａ，１８Ｂと矢印Ｅ方向へ付勢された押え板１２とによって紙幣６０Ａが挟持され、紙幣収納ケース１０内に積層された状態で収納されている。この状態で、図示を省略した搬送手段によって筺体４の紙幣導入口７ａから紙幣収納ケース１０内にこれから収納される紙幣６０Ｂが搬送されると、紙幣６０Ｂは紙幣係止部１５ｂに係止され、挟持部１８Ａ，１８Ｂとカバー３のリブ６との間に位置する。
【００２２】
この状態で、幅方向移動手段２０の第１のソレノイド２２のロッド２１を後退させると、駆動板２３が矢印Ｂ方向に移動し、被駆動板２５Ａが矢印Ｃ方向に移動するとともに、被駆動板２５Ｂが矢印Ｄ方向に移動するので、挟持部材１７Ａが矢印Ｃ方向に移動するとともに、挟持部材１７Ｂが矢印Ｄ方向に移動する。したがって、挟持部１８Ａ，１８Ｂが、同図（Ｂ）に示すように紙幣収納ケース１０から退出するので、これら挟持部１８Ａ，１８Ｂと紙幣６０Ａとの係合が解除される。このため、押え板１２が円すいコイルばね１４の付勢力によって矢印Ｅ方向に移動するから、既に押え板１２に積層されている紙幣６０Ａと、これから収納される紙幣６０Ｂとが重ね合わされ、これら紙幣６０Ａ，６０Ｂがカバー３のリブ６と押え板１２とによって挟持された状態になる。
【００２３】
次いで、厚み方向移動手段４０の第２のソレノイド４２のロッド４１が前進し、駆動部材４３、カム４４、移動子４５Ａ，４５Ｂを介して挟持部材１７Ａ，１７Ｂが、同図（Ｃ）に示すように矢印Ｅ方向に移動し、これら挟持部材１７Ａ，１７Ｂの挟持部１８Ａ，１８Ｂがリブ６，６間に位置付けられる。この状態で、これから収納される紙幣６０Ｂがリブ６に対接しているから、挟持部材１７Ａ，１７Ｂの挟持部１８Ａ，１８Ｂが紙幣６０Ｂよりも矢印Ｅ方向に位置付けられて、挟持部１８Ａ，１８Ｂが紙幣６０Ｂから離間している。この状態から、幅方向移動手段２０の第１のソレノイド２２のロッド２１が前進し、駆動板２３が矢印Ｂ方向に移動することにより、挟持部材１７Ａが矢印Ｄ方向に移動するとともに、挟持部材１７Ｂが矢印Ｃ方向に移動する。
【００２４】
したがって、挟持部材１７Ａ，１７Ｂの挟持部１８Ａ，１８Ｂが、図４（Ａ）に示すように、紙幣収納ケース１０内に進出する。このとき、挟持部１８Ａ，１８Ｂがこれから収納される紙幣６０Ｂと離間して接触していないために、収納ケース１０内に進出してきた挟持部１８Ａ，１８Ｂによって、紙幣６０Ｂの両側端が誤って折り曲げられるようなことがない。次いで、厚み方向移動手段４０の第２のソレノイド４２のロッド４１が前進し、カム４４のカム面と突子４９との対接が解除されるので、図示を省略した移動子４５Ａ，４５Ｂが矢印Ｆ方向に移動し、挟持部材１７Ａ，１７Ｂが、同図（Ｂ）に示すように矢印Ｆ方向に移動する。
【００２５】
したがって、挟持部材１７Ａ，１７Ｂの挟持部１８Ａ，１８Ｂが紙幣６０Ｂの表面に係合し、挟持部１８Ａ，１８Ｂによって紙幣６０Ｂが矢印Ｆ方向へ押し込まれ、これら紙幣６０Ｂ，６０Ａを介して押え板１２を円すいコイルばね１４の付勢力に抗して矢印Ｆ方向へ押圧する。さらに、挟持部１８Ａ，１８Ｂが矢印Ｆ方向に移動することにより、これら挟持部１８Ａ，１８Ｂと矢印Ｅ方向へ付勢された押え板１２とによって紙幣６０Ｂ，６０Ａが挟持された状態で、紙幣６０Ｂは紙幣収納ケース１０内に収納される。このように、これから積層する紙幣６０Ｂを既に積層された紙幣６０Ａと重ね合わせてから、挟持部１８Ａ，１８Ｂによって、押え板１２側に押し込むようにしたので、重ね合わせるときに紙幣６０Ｂの端縁の折れ癖を矯正することができる。
【００２６】
次に、このように紙幣収納装置１の紙幣収納ケース１０内に収納された紙幣６０Ａ，６０Ｂを取り出す場合には、図１において、紙幣取出口８ａから指を筺体４内に差し入れ、押え板１２の切欠き１２ａから露呈した紙幣６０Ａ，６０Ｂの一端部を把持し矢印Ｂ方向に引く抜くことにより、紙幣６０Ａ，６０Ｂを筺体４から取り出すことができる。
【図面の簡単な説明】
【００２７】
【図１】本発明に係る紙幣収納装置の側面図である。
【図２】同図（Ａ）は図１におけるII（Ａ）-II（Ａ） 線断面図、同図（Ｂ）は図１におけるII（Ｂ）-II（Ｂ） 線断面図である。
【図３】図１におけるIII-III 線断面図であって、同図（Ａ）はこれから積層される紙幣が紙幣収納部に搬送された状態を示し、同図（Ｂ）は挟持部材が紙幣の幅方向へ移動しこれから収納される紙幣と既に収納されている紙幣とが重ね合わされた状態を示し、同図（Ｃ）は挟持部材を積層された紙幣の厚み方向に移動させた状態を示す。
【図４】図１におけるIII-III 線断面図であって、同図（Ａ）は挟持部材を積層された紙幣の幅方向に移動させこれから収納する紙幣に対向させた状態を示し、同図（Ｂ）は挟持部材を積層された紙幣の厚み方向に移動させ紙幣を押え板側に押圧し押え板と共に挟持した状態を示す。
【符号の説明】
【００２８】
１…紙幣収納装置、４…筺体、６…リブ、７ａ…紙幣導入口、８ａ…紙幣取出口、１０…紙幣収納ケース、１２…押え板、１４…円すいコイルばね、１７Ａ，１７Ｂ…挟持部材、１８Ａ，１８Ｂ…挟持部、２０…幅方向移動手段、２２…第１のソレノイド、２３…駆動板、２４Ａ，２４Ｂ…カム機構、２５Ａ，２５Ｂ…被駆動板、３１，３４…長孔、３２，３５…ピン、４０…厚み方向移動手段、４２…第２のソレノイド、４４…カム、４５Ａ，４５Ｂ…移動子、６０Ａ…既に収納されている紙幣、６０Ｂ…これから収納される紙幣。
【図１】
2006072822.tif 000003
【図２】
2006072822.tif 000004
【図３】
2006072822.tif 000005
【図４】
2006072822.tif 000006